(57)【要約】【課題】高い耐震強度を有するとともに軽量化とコストダウンが可能な物品収納具を提供する。【解決手段】  複数の棒状部材が交差した格子状パネルを用いており、収納される物品の積載面となる底パネルと、その底パネルの前後両端部に立設する前後格子状パネルと、前記底パネルの両側部に立設する側部格子状パネルとを備える。また、これらの側部格子状パネルの側面に、パネル上端部に沿って取り付けられ、前記棒状部材よりも高い撓み強度を有する上部補強部材を備える。さらに、少なくとも前記上部補強部材に係合可能な係合部を有し、前記底パネルの下面に設けられた脚部を備える。複数の前記物品収納具を積み重ねた際に、少なくとも前記上部補強部材に、上下に隣接する前記物品収納具の前記脚部の前記係合部が係合する。上部補強部材によって補強されているので、高い耐震強度を有する物品収納具を製造可能となる。【選択図】図１
2006193200.tif 000002
【特許請求の範囲】
【請求項１】
複数の棒状部材が交差した格子状パネルを用いた物品収納具において、
収納される物品の積載面となる底パネルと、
その底パネルの前後両端部に立設する前後格子状パネルと、
前記底パネルの両側部に立設する側部格子状パネルと、
これらの側部格子状パネルの側面に、パネル上端部に沿って取り付けられ、前記棒状部材よりも高い撓み強度を有する上部補強部材と、
少なくとも前記上部補強部材に係合可能な係合部を有し、前記底パネルの下面に設けられた脚部と、
を備え、複数の前記物品収納具を積み重ねた際に、少なくとも前記上部補強部材に、上下に隣接する前記物品収納具の前記脚部の前記係合部が係合することを特徴とする物品収納具。
【請求項２】
前記上部補強部材は、該上部補強部材の上下両端部が前記側部格子状パネルに向けて折り曲げられた上下曲部と、その上下曲部の間に形成され前記側部格子状パネルに向けて突出するように折り曲げられた中央曲部とを含み、
前記側部格子状パネルを構成する前記棒状部材のうち上下方向を向く前記棒状部材と、前記上下曲部および前記中央曲部とが溶接されている請求項１記載の物品収納具。
【請求項３】
前記上部補強部材の前記上下曲部は双方の間隔が先端側ほど狭くなるように内側に傾斜している請求項２記載の物品収納具。
【請求項４】
複数の棒状部材が交差した格子状パネルを用いた物品収納具において、
収納される物品の積載面となる底パネルと、
その底パネルの前後両端部に、該底パネルに対して折り重ね可能に連結された前後格子状パネルと、
前記底パネルまたは前記前後格子状パネルの両側部に、折り重ね可能に連結された側部格子状パネルと、
前記前後格子状パネル及び前記側部格子状パネルを前記底パネルに対して折り重ねた際に、前記前後格子状パネル及び前記側部格子状パネルと重ならない位置に前記底パネルに配置され、上方に突出して自身の上端部が折り重ねた各パネルのパネル最上面よりも高く位置する段積用部材と、
その段積用部材に係合可能な係合部を有し、前記底パネルの下面に設けられた脚部と、
を備え、前記各パネルを折り重ねた状態で複数の前記物品収納具を積み重ねた際に、前記段積用部材に、上下に隣接する前記物品収納具の前記脚部の前記係合部が係合することを特徴とする物品収納具。
【請求項５】
前記段積用部材の下部は内側に折り曲げられて前記底パネルの上面の側部に配置され、
前記前後格子状パネルを前記底パネルに対して直角方向に開き、前記側部格子状パネルを前記前後格子状パネルおよび前記底パネルに対して直角方向に開いた状態で、複数の前記物品収納具を積み重ねた際に、前記側部格子状パネルの上端部に、上下に隣接する前記物品収納具の前記脚部の前記係合部が係合し、積み重ねられた物品収納具の荷重は前記側部格子状パネルを通して前記底パネルの側部に加わり、
前記段積用部材の下部は前記底パネルの前記上面の前記側部に配置されることにより、前記荷重の一部を受け止めて前記底パネルの前記側部を補強する請求項４記載の物品収納具。
【請求項６】
前記前後格子状パネルを前記底パネルに対して直角方向に開き、かつ前記側部格子状パネルを前記前後格子状パネルおよび前記底パネルに対して直角方向に開くことにより、各パネルに囲まれた物品収納空間が形成され、
前記段積用部材は、前記側部格子状パネルよりも外側に位置することにより該側部格子状パネルが外側へ開くのを防止するとともに、前記物品収納空間に収納された物品による前記側部格子状パネルの外側への膨らみを防止する請求項４記載の物品収納具。
【請求項７】
物品収納具において、
長方形状の底パネルと、
その底パネルの前後両端部に、該底パネルに対して折り重ね可能に連結された前後パネルと、
前記底パネルまたは前記前後パネルの両側部に、折り重ね可能に連結された側パネルと、
前記前後パネル及び前記側パネルを前記底パネルに対して折り重ねた際に、前記前後パネル及び前記側パネルと重ならない位置に配置され、上方に突出して自身の上端部が折り重ねた各パネルのパネル最上面よりも高く位置する段積用部材と、
その段積用部材に係合可能な係合部を有し、前記長方形状の底パネルの短辺を含む側部のパネル下面に、長辺方向に一対に設けられた脚部と、
を備え、前記各パネルを折り重ねた状態で複数の前記物品収納具を直角方向に交互に向きを変えて段積みした際に、前記長辺方向に一対に設けられた脚部の間に直角方向に向きを変えた別の前記物品収納具が収まり、かつ、同一方向を向く上下の前記物品収納具間において、一方の前記物品収納具の前記段積用部材と、他方の前記物品収納具の前記脚部の前記係合部とが係合することを特徴とする物品収納具。
【請求項８】
同一方向を向き、かつ前記段積用部材と前記係合部とが係合した上下の前記物品収納具間における、下段の前記物品収納具の前記パネル最上面から、上段の前記物品収納具の前記底パネルの下面までの高さが、それぞれの物品収納具における前記底パネルの下面から前記パネル最上面までの高さより長く、
前記底パネルの長辺方向における前記脚部間の間隔が、前記底パネルの短辺方向の長さよりも長くされている請求項７記載の物品収納具。
【発明の詳細な説明】
【技術分野】
【０００１】
本発明は、物品収納具に関するものである。
【背景技術】
【０００２】
この種の物品収納具としては下記特許文献１および２が公開されている。これは図２１Ａに示すように、底パネル１０２と、この底パネル１０２から上方に立設する前パネル１０３、後パネル１０４、側パネル１０５と、底パネル１０２の下面に設けた脚部１０６とを有するものである。各パネルは複数の棒状部材が交差した格子状に構成されている。例えば側パネル１０５は図２１Ｂに示すように、上下方向を向く複数の第一棒状部材１０８と、左右方向を向く複数の第二棒状部材１０９とが直交して格子状になされ、各交差点１１０が溶接されている。
【特許文献１】実開昭５１−２２９４１号公報
【特許文献２】特許第３４８７１８５号公報
【０００３】
前後パネル１０３，１０４も側パネル１０５と同様の構造となっている。これらのパネルを構成する第一棒状部材１０８および第二棒状部材１０９は略同一の径を有し、一方が上下方向を向き、他方が水平方向を向くように構成されている。このようなパネルにおいては、上下方向の力Ｆ（図２１Ｂ）に対する強度を高める場合、棒状部材の本数を増やしているが、これに伴って各パネルの重量が増加するといった問題や、溶接する箇所が増加して製造に手間がかかる問題、または製造コストが高くなるといった問題が生じる。
【０００４】
また、図２２に示すように複数の物品収具１０１を上下に段積みすることがある。このような段積み状態においては、脚部１０６に設けた係合部１０７が下側の物品収納具１０１の側パネル１０５に係合し、下段の物品収納具１０１の側パネル１０５に上下方向の荷重Ｆが作用する。この荷重Ｆに対する側パネル１０５の強度を高める場合、従来、上下方向を向く第一棒状部材１０８の線数を増やしていたが、上述したように重量が増加する等の問題があった。
【０００５】
一方、段積みして保管している時に地震が発生し、物品収納具１０１が破壊される場合がある。重量のある物品を収納している場合は、地震災害時に物品収納具１０１が破壊されると大きな被害が発生する可能性があるので、耐震性の高い物品収納具が望まれている。地震発生時には上段の物品収納具１０１の脚部１０６が係合する箇所や、底パネル１０２のうち脚部１０６の真上に位置する部分などが特に壊れやすい。そのため、これらの破壊されやすい箇所を補強した、耐震強度の高い物品収納具が望まれていた。
【０００６】
ところで、上記物品収納具１０１の前後パネル１０３，１０４および側パネル１０５は底パネル１０２に対して回動して折り重ね可能に連結されている。そして各パネル１０３〜１０５を折り重ねた状態で、複数の物品収納具１０１を上下に段積みして保管できる。ところがこのように段積みすると、上下の物品収納具１０１の間で、脚部１０６の高さに相当するスペースができてしまう。その結果、高密度に段積みできないという問題があった。
【発明の開示】
【発明が解決しようとする課題】
【０００７】
本発明は上述のような事情を背景になされたものであって、特に、高い耐震強度を有するとともに軽量化とコストダウンが可能な物品収納具を提供することを第一の課題とする。また、各パネルを折り重ねた状態で、高密度に段積みできる物品収納具を提供することを第二の課題とする。
【課題を解決するための手段および発明の効果】
【０００８】
上記課題を解決するために本第１発明は、
複数の棒状部材が交差した格子状パネルを用いた物品収納具において、
収納される物品の積載面となる底パネルと、
その底パネルの前後両端部に立設する前後格子状パネルと、
前記底パネルの両側部に立設する側部格子状パネルと、
これらの側部格子状パネルの側面に、パネル上端部に沿って取り付けられ、前記棒状部材よりも高い撓み強度を有する上部補強部材と、
少なくとも前記上部補強部材に係合可能な係合部を有し、前記底パネルの下面に設けられた脚部と、
を備え、複数の前記物品収納具を積み重ねた際に、少なくとも前記上部補強部材に、上下に隣接する前記物品収納具の前記脚部の前記係合部が係合することを特徴とする。
【０００９】
上記本第１発明によると、側部格子状パネルの側面に、パネル上端部に沿って上部補強部材が取り付けられており、物品収納具を上下に段積みした時に、少なくとも上部補強部材に、上段の物品収納具の脚部に設けた係合部が係合する。つまり、上部補強部材によって側部格子状パネルの上端部が補強されているので、地震などで生じた衝撃を受け止めることが可能となる。
【００１０】
このようにして物品収納具を部分的に補強することにより、高い耐震強度を備えるとともに軽量化を実現可能な物品収納具を提供できる。すなわち、仮に側部格子状パネルの強度を全体的に上げようとすると、棒状部材の本数が増えることとなり、重量が増加するなどの不具合が生じるのであるが、本発明は地震発生時に破壊されやすい箇所を部分的に補強しているので、重量増を最小限に押さえることができる。
【００１１】
また、本第２発明においては、前記上部補強部材は、該上部補強部材の上下両端部が前記側部格子状パネルに向けて折り曲げられた上下曲部と、その上下曲部の間に形成され前記側部格子状パネルに向けて突出するように折り曲げられた中央曲部とを含み、
前記側部格子状パネルを構成する前記棒状部材のうち上下方向を向く前記棒状部材と、前記上下曲部および前記中央曲部とが溶接されている。
【００１２】
このように上部補強部材を上下曲部と中央曲部とを含む構成とすることで、側部格子状パネルを構成する棒状部材のうち上下方向を向く棒状部材と、各曲部とが直交する形となり、その交差点を溶接、特にはスポット溶接することができる。スポット溶接であれば、比較的少ない面積を溶接するだけで済むので、製造効率を高めることができ、コストダウンが可能となる。また、上下曲部と中央曲部を含む上部補強部材は、高い撓み強度を発揮できる構造となっている。
【００１３】
さらに、本第３発明においては、前記上部補強部材の前記上下曲部は双方の間隔が先端側ほど狭くなるように内側に傾斜している。上部補強部材は側部格子状パネルの側面に、パネル上端部に沿って取り付けられているので、使用者の手が触れやすい箇所にある。また、上下曲部の先端は鋭くなっている場合があるので、触れると手が切れることがある。そこで、このように上下曲部を内側に傾斜させると先端が露出しなくなり、手が切れる危険性が少なくなる。
【００１４】
また、本第４発明は、
複数の棒状部材が交差した格子状パネルを用いた物品収納具において、
収納される物品の積載面となる底パネルと、
その底パネルの前後両端部に、該底パネルに対して折り重ね可能に連結された前後格子状パネルと、
前記底パネルまたは前記前後格子状パネルの両側部に、折り重ね可能に連結された側部格子状パネルと、
前記前後格子状パネル及び前記側部格子状パネルを前記底パネルに対して折り重ねた際に、前記前後格子状パネル及び前記側部格子状パネルと重ならない位置に前記底パネルに配置され、上方に突出して自身の上端部が折り重ねた各パネルのパネル最上面よりも高く位置する段積用部材と、
その段積用部材に係合可能な係合部を有し、前記底パネルの下面に設けられた脚部と、
を備え、前記各パネルを折り重ねた状態で複数の前記物品収納具を積み重ねた際に、前記段積用部材に、上下に隣接する前記物品収納具の前記係合部が係合することを特徴とする。
【００１５】
上記第４発明によると、各パネルを底パネルに対してコンパクトに折り重ねることができ、その折り重ねた状態で物品収納具を段積みすることが可能となる。また、上記物品収納具には段積用部材が設けられている。この段積用部材は、各パネルを折り重ねた際に前後格子状パネル及び側部格子状パネルと重ならない位置に配置されており、上方に突出して自身の上端部が折り重ねた各パネルのパネル最上面よりも高く位置している。これにより、折り重ねた物品収納具を段積みした場合に、上段の物品収納具の脚部に形成した係合部が、下段の物品収納具の段積用部材の上端部に係合して、安定して段積みすることができる。
【００１６】
さらに、本第５発明において、前記段積用部材の下部は内側に折り曲げられて前記底パネルの上面の側部に配置され、
前記前後格子状パネルを前記底パネルに対して直角方向に開き、前記側部格子状パネルを前記前後格子状パネルおよび前記底パネルに対して直角方向に開いた状態で、複数の前記物品収納具を積み重ねた際に、前記側部格子状パネルの上端部に、上下に隣接する前記物品収納具の前記脚部の前記係合部が係合し、積み重ねられた物品収納具の荷重は前記側部格子状パネルを通して前記底パネルの側部に加わり、
前記段積用部材の下部は前記底パネルの前記上面の前記側部に配置されることにより、前記荷重の一部を受け止めて前記底パネルの前記側部を補強している。
【００１７】
段積用部材はこのように、下部が内側に折り曲げられて底パネルの上面の側部に配置されている。そして、各パネルを開いた状態で物品収納具を段積みすると、下段の物品収納具の側部格子状パネルには上段からの荷重が加わり、その荷重はさらに底パネルの側部に加わることになる。この状態で地震などが起きると強い衝撃が底パネルの側部に加わり、破壊されてしまう場合がある。しかし本発明では破壊されやすい箇所に段積用部材の下部を配置したので、この部分が補強されている。
【００１８】
また、本第６発明は、
前記前後格子状パネルを前記底パネルに対して直角方向に開き、かつ前記側部格子状パネルを前記前後格子状パネルおよび前記底パネルに対して直角方向に開くことにより、各パネルに囲まれた物品収納空間が形成され、
前記段積用部材は、前記側部格子状パネルよりも外側に位置することにより該側部格子状パネルが外側へ開くのを防止するとともに、前記物品収納空間に収納された物品による前記側部格子状パネルの外側への膨らみを防止している。
【００１９】
さらに本第７発明は、
物品収納具において、
長方形状の底パネルと、
その底パネルの前後両端部に、該底パネルに対して折り重ね可能に連結された前後パネルと、
前記底パネルまたは前記前後パネルの両側部に、折り重ね可能に連結された側パネルと、
前記前後パネル及び前記側パネルを前記底パネルに対して折り重ねた際に、前記前後パネル及び前記側パネルと重ならない位置に配置され、上方に突出して自身の上端部が折り重ねた各パネルのパネル最上面よりも高く位置する段積用部材と、
その段積用部材に係合可能な係合部を有し、前記長方形状の底パネルの短辺を含む側部のパネル下面に、長辺方向に一対に設けられた脚部と、
を備え、前記各パネルを折り重ねた状態で複数の前記物品収納具を直角方向に交互に向きを変えて段積みした際に、前記長辺方向に一対に設けられた脚部の間に直角方向に向きを変えた別の前記物品収納具が収まり、かつ、同一方向を向く上下の前記物品収納具間において、一方の前記物品収納具の前記段積用部材と、他方の前記物品収納具の前記脚部の前記係合部とが係合することを特徴とする。
【００２０】
上記本第７発明によれば、各パネルを折り重ねて偏平にした状態で、複数の物品収納具を、直角方向に交互に向きを変えて段積みすることにより、余計なスペースを作らずに高密度に段積みすることが可能となる。また、同一方向を向く上下の物品収納具間において、一方の物品収納具の段積用部材と、他方の物品収納具の脚部に設けた係合部とが係合することにより、各物品収納具をきっちりと段積みできる。
【００２１】
本第８発明は、本第７発明をより具体的に記載したもので、すなわち、
同一方向を向き、かつ前記段積用部材と前記係合部とが係合した上下の前記物品収納具間における、下段の前記物品収納具の前記パネル最上面から、上段の前記物品収納具の前記底パネルの下面までの高さが、それぞれの物品収納具における前記底パネルの下面から前記パネル最上面までの高さより長く、
前記底パネルの長辺方向における前記脚部間の間隔が、前記底パネルの短辺方向の長さよりも長くされている。
【００２２】
さらに本発明は、
底パネルと、その底パネルに立設する前後格子状パネルおよび側部格子状パネルとによって物品収納空間が形成された物品収納具において、
前記各格子状パネルは同一方向に揃えられた複数本の第一棒状部材と、その第一棒状部材とは異なる方向に揃えられた複数本の第二棒状部材とが互いに交差して格子状に構成され、
前記前後格子状パネルは、前記第一棒状部材が上下方向を向き、前記第二棒状部材が左右方向を向くとともに、前記第一棒状部材を基準にしてその外側および内側に前記第二棒状部材が互い違いに配置されていることを特徴とする。
【００２３】
このように上下方向を向く第一棒状部材を基準にして、左右方向を向く第二棒状部材を外側および内側に互い違いに配置すると、左右方向の強度がアップする。また、物品を収納した場合、その物品によって格子状パネルに内側から外側へ向く側圧が作用するが、前後格子状パネルに上記の構造を採用することにより、側圧の強度もアップできる。つまり、棒状部材の径を大きくしたり本数を増やしたりすることなく側圧強度を高めることができるので、格子状パネルの重量を軽減でき、また、溶接箇所が少なくてすむので製造コストを下げることができる。
【発明を実施するための最良の形態】
【００２４】
以下、本発明を実施するための最良の形態を、図面を参照しながら説明する。
図１は本発明に係る物品収納具１の概略斜視図であり、底部格子状パネル２（底パネルの一例）と、その底部格子状パネル２の前後両端部から立設する前格子状パネル３、後格子状パネル４、側部格子状パネル５，６を有する。そして、各格子状パネル２〜６に囲まれ上方が開放した物品収納空間Ｓが形成されている。また、側部格子状パネル５，６の側面には上部補強部材７がパネル上端部に沿って取り付けられている。この補強部材７は金属板などを成形したもので、各格子状パネル２〜６を構成する棒状部材よりも高い撓み強度を有する。さらに、脚部８を底部格子状パネル２の下面に設け、少なくとも上部補強部材７に係合可能な係合部９を脚部８に形成した。また、側部格子状パネル５，６の外側に位置するように、段積用部材１０を底部格子状パネル２に取り付けた。
【００２５】
前格子状パネル３および後格子状パネル４は底部格子状パネル２に対して折り重ね可能に連結されている。より詳しくは、前後格子状パネル３，４は底部格子状パネル２の前後両端部に回動して折り重ね可能に連結されており、側部格子状パネル５，６は後格子状パネル４の側部に回動して折り重ね可能に連結されている。なお、側部格子状パネル５，６は前格子状パネル３の側部に連結してもよいし、底格子状パネル２の側部に連結してもよい。
【００２６】
次に、図２Ａに物品収納具１の右側面図を示し、図２Ｂ，Ｃに右側部格子状パネル６の横断面図および縦断面図をそれぞれ示す。右側部格子状パネル６は上下方向を向く複数の第一棒状部材１１と、左右方向を向く複数の第二棒状部材１２とが互いに直交して格子状に構成されており、第一棒状部材１１は外側に位置し、第二棒状部材１２は内側に位置している。また、上下方向の座屈強度を高めるために、補強用棒状部材１１ａを第二棒状部材１２の内側に部分的に設け、横方向の強度を高めるために補強用棒状部材１２ａを第一棒状部材１１の外側に部分的に設けた。物品収納具１を右側面から見た際（図２Ａ）に，補強用棒状部材１１ａは外側の第一棒状部材１１に隠れる位置にある。また、補強用棒状部材１２ａは内側の第二棒状部材１２を隠す位置にある。
【００２７】
また、パネルの外側面には、上端部に沿って上部補強部材７が取り付けられている。この上部補強部材７の拡大断面図を図７に示す。上部補強部材７は板状の部材を成形したもので、上下両端部が右側格子状パネル６に向けて折り曲げられた上曲部７ａ及び下曲部７ｂを具備している。さらに、これら上曲部７ａと下曲部７ｂの間に形成され右側格子状パネル６に向けて突出するように折り曲げられた中央曲部７ｃを有する。このような構造を有することにより上部補強部材７は高い撓み強度を有することが可能となり、地震による衝撃や荷重が加わったとしても変形しにくくなる。また、上部補強部材７を右側部格子状パネル６に取り付ける際には、上下曲部７ａ，７ｂ及び中央曲部７ｃと、上下方向を向く第一棒状部材１１とが直交しているので、この交点をスポット溶接することが可能である。つまり、溶接する部分が比較的少なくてすむので、その結果、パネルの製造コストを下げることができる。
【００２８】
なお、上下曲部７ａ，７ｂは双方の間隔が先端側ほど狭くなるように内側に傾斜している。物品収納具１の使用者が上部補強部材７に手をかけた場合には、上下曲部７ａ，７ｂの先端は鋭いので手が切れてしまうことがあるのだが、このように内側に傾斜させることにより、先端が触れられにくくなる。その結果、使用者が手に傷を負う危険性が少なくなり、安全性が増す。
【００２９】
図２に戻る。右側部格子状パネル６の左側部には、第一棒状部材１１と補強用棒状部材１１ａとに挟まれるようにＵ字型の被ロック部１８が取り付けられている。この被ロック部１８は前格子状パネル３を右側格子状パネルに対して固定するために使用する。この使用方法については後述する。
【００３０】
また、左側部格子状パネル５は図３に示すように、右側部格子状パネル６と同一の構成を有しているので、各構成要素に同一番号を記して説明を省略する。
【００３１】
次に、図４を用いて前格子状パネル３について説明する。前格子状パネル３は上位格子状パネル３ａおよび下位格子状パネル３ｂを含み、これらが前側上段ヒンジコイル１５及び前パネル連結体２３によって回動自在に連結している。各格子状パネル３ａ，３ｂにはそれぞれ、左右一対のロック部２２が取り付けられており、そのロック部２２には左右に移動可能なロック杆２１が設けられている。ロック杆２１をロック位置Ａに移動すると、側部格子状パネル５，６に設けた被ロック部１８のロック孔１９に嵌合し、パネルを連結することができる。また、連結を解除する場合には、非ロック位置Ｂに移動（点線で示す）してロック杆２１を脱抜する。
【００３２】
上位格子状パネル３ａおよび下位格子状パネル３ｂは上下方向を向く第一棒状部材１１と、左右方向を向く第二棒状部材１２とが互いに交差した格子状に構成されている。より詳しくは、第一棒状部材１１を基準として外側第二棒状部材１２ｂと内側第二棒状部材１２ｃとが互い違いに配置されている。このような構造を有することにより、側圧に対する強度が高くなり、物品収納空間Ｓ（図１）に収納した物品により外側に膨らむ圧力が生じたとしても、変形しにくくなる。なお、ロック部２２を取り付けるために、この部分の第二棒状部材は互い違いにせず、２本連続して内側に配置している。また、上位格子状パネル３ａの上端には補強のため及び、手の安全のために、外側第二棒状部材１２ｂと内側第二棒状部材１２ｃとが両方とも取り付けられている。
【００３３】
一方、上述した前パネル連結体２３は図９の拡大断面図に示すように、円筒状のパイプ材であり、上位格子状パネル３ａの下端の外側第二棒状部材１２ｂと、下位格子状パネル３ｂの上端の外側第二棒状部材１２ｂおよび内側第二棒状部材１２ｃをパイプ内に通して連結している。
【００３４】
また、下位格子状パネル３ｂの上端部には外側第二棒状部材１２ｂと内側第二棒状部材１２ｃとが両方とも取り付けられている。これは上位格子状パネル３ａのずれ落ちを防止するためである。すなわち、図１０Ａの拡大断面図に示すように、仮に下位格子状パネル３ｂの上端部に外側第二棒状部材１２ｂが取り付けられていなかったとしたら、上位格子状パネル３ａを外側に開いた場合に、下位格子状パネル３ａの上端部からずれ落ちてしまう。つまり、安定して上位格子状パネル３ａを開閉できなくなる。また、図１０Ｂは下位格子状パネル３ｂの上端部に内側第二棒状部材１２ｃが取り付けられていない場合の断面図であるが、同様の不具合が生じる。
【００３５】
次に、図５を用いて後格子状パネル４の説明をする。後格子状パネル４も前格子状パネル３と同様に、棒状部材が互い違いに配置された千鳥状の構造を有している。より詳しくは、上下方向を向く第一棒状部材１１を基準として、左右方向を向く内側第二棒状部材１２ｃと外側第二棒状部材１２ｂとが互い違いに配置されている。後格子状パネル４の上端には補強のため及び、手の安全のために、内側第二棒状部材１２ｃと外側第二棒状部材１２ｂが２本取り付けられている。また、後格子状パネル４は下端が内側に折り曲げられた屈曲部４ａを有するＬ字型の形状（図５Ｃ）とされている。
【００３６】
次に底部格子状パネル６の説明をする。図６Ａは底部格子状パネル６の一部切り欠き正面図であり、図６Ｂ，Ｃはその横断面図および縦断面図である。底部格子状パネル６は前後方向を向き左右両端に配置された第一支持部材２６と、それらの第一支持部材２６を繋ぐように左右方向に配置された第二支持部材２５を有している。これら第一支持部材２６および第二支持部材２５は収納物品の荷重を支えるために径の大きな中空部材を用いている。そして第一支持部材２６および第二支持部材２５の上方には前後方向を向く複数の第一棒状部材１１が配置され、これらが溶接されている。また、第一棒状部材１１の上方には左右方向を向く第二棒状部材１２が直交するように配置されている。
【００３７】
また、底部格子状パネル６の下面に、少なくとも上部補強部材７に係合可能な係合部９を有する複数の脚部９を設けた。このように係合部９を有することにより、図１２、図１３に示すように、物品収納具１の上に別の物品収納具１を段積みした場合に、下段の物品収納具１の側部格子状パネル５，６および上部補強部材７に、上段の物品収納具１の脚部８に設けた係合部９が係合する。また、図１３に示すように、側部格子状パネル５，６の上端に位置する第二棒状部材１２には脱落防止用の凸部２０が形成されており、上段の物品収納具が前方にずれるのを防止している。次に、図１２の要部拡大図を図１４に示す。このように、係合部９は脚部８の下面から上方に凹んでおり、外側壁部９ａおよび内側壁部９ｂを有する。そのため、物品収納具１を上下に段積みした際に、上段の物品収納具１が左右方向にずれたとしても、外側壁部９ａまたは内側壁部９ｂが側部格子状パネル５、６に当接し、物品収納具１の脱落を防止できる。これにより、地震などで多少の振動が生じても上段の物品収納具１が脱落することなく係合状態を保てる。
【００３８】
なお、本発明においては、上記脚部８の係合部９を、“少なくとも”上端補強部材７と係合するものとしている。その理由は、図１４のように脚部８の係合部９が、側部格子状パネル５，６および上部補強部材７に係合する場合だけでなく、上部補強部材７のみに係合する場合を含めるためである。例えば図１５に示すように、上端補強部材７が側部格子状パネル５，６の上端部を覆うようにしておき、係合部９が上端補強部材７にのみ係合する場合も、本発明に含まれる。
【００３９】
次に、底部格子状パネル２に配置した段積用部材１０について説明する。図８の拡大斜視図に示すように、段積用部材１０は棒状部材を折り曲げて形成したもので、内側に曲げられて底部格子状パネル２の上面の側部に固定された固定部１０ａと、その固定部１０ａに連なり上方に突出する突部１０ｂとを含む。また、上端部１０ｃには、物品収納具１を段積みした際（図２０）に位置ずれを防止するための位置ずれ防止部１０ｄが設けられている。突部１０ｂは、段積みした際に上段の物品収納具１の重量を支えるために他の棒状部材１１，１２よりも太くなっている。
【００４０】
そして、固定部１０ａは上下方向に押しつぶされて、その厚さが第二棒状部材１２の径と略同一になっている。つまり、固定部１０ａと第二棒状部材１２は同一の高さに揃えられている。これにより、例えば図１２〜図１４に示すように、前後格子状パネル３，４及び側部格子状パネル５，６を開いた状態で上下に段積みした際に、側部格子状パネル５，６が第二棒状部材１２と固定部１０ａの双方に接することになり、上段からの荷重を双方で受け止めることが可能となる。固定部１０ａを設けた箇所は、段積みした際に、上段の物品収納具の脚部８の真下に位置するため、荷重が伝わりやすく、地震が起きた際に壊れやすい箇所の一つである。本発明ではここに段積用部材１０の固定部１０ａを配置したので、荷重の一部を固定部１０ａが受け止めており、その結果、底部格子状パネル２の側部が補強されている。すなわち、段積用部材１０の固定部１０ａは底部格子状パネル２の補強部材を兼ねているのである。
【００４１】
なお、図１２および図１３に示すように、段積用部材１０の突部１０ｂは側部格子状パネル５，６の外側に位置するので、側部格子状パネルが外側に開くのを防止することができる。また、収納された物品による側部格子状パネル５，６の外側への膨らみを防止することができる。従来の物品収納具ではこの位置に、側部格子状パネルの外側への脱落防止または膨らみ防止のために専用の部品を取り付けていたが、本発明では段積用部材１０がこの脱落・膨らみ防止部品を兼用している。
【００４２】
次に、各格子状パネル２〜６の接続について説明する。図２および図５に示すように、右側部格子状パネル６は後部格子状パネル４の右側部に回動して折り重ね可能に連結されている。より詳しくは、右側部格子状パネル６の後端部に位置する第一棒状部材１１と、後部格子状パネル４の右端部に位置する第一棒状部材１１とが、右側ヒンジコイル１４および側パネル連結体２４により連結されている。側パネル連結体２４は上述した前部格子状パネル３の前パネル連結体２３と同一の構造を有するものである。また、左側部格子状パネル５も同様にして後部格子状パネル４に連結されている。
【００４３】
一方、前格子状パネル３は、図４に示すように底部格子状パネル２に対して回動して折り重ね可能に連結されている。より詳しくは、下位格子状パネル３ｂの下端に位置する外側第二棒状部材１２ｂと、底部格子状パネルの前端部に位置する第二棒状部材１２とが前部下段ヒンジコイル１６により連結されている。
【００４４】
また、図５および図１１に示すように、後部格子状パネル４は底部格子状パネル２に対して回動して折り重ね可能に連結されている。より詳しくは、後部格子状パネル４の屈曲部４ａの内端に位置する内側第二棒状部材１２ｃと、底部格子状パネル２の後端部に位置する第二棒状部材１２とが後部ヒンジコイル１７により連結されている。
【００４５】
物品収納具１を使用しない場合は、コンパクトに折り畳むことができる。すなわち、図４の点線で示すように、各ロック部２２のロック杆２１をロック位置Ａからロック解除位置Ｂへ移動してロック孔１９から脱抜する。これにより、前格子状パネル３と側部格子状パネル５，６の連結が解除され、次に図１６Ａに示すように、前格子状パネル３を回動して底部格子状パネル２の上面側に折り重ねる。
【００４６】
さらに、図１７に示すように、左側部格子状パネル５を矢印イ方向へ回転させて後格子状パネル４の内面側に折り重ね、右側部格子状パネル６を矢印ロ方向へ回転させてさらに折り重ねる。この後、図１６Ｂに示すように、後部格子状パネル４を側部格子状パネル５，６とともに底部格子状パネル２の上面側へ折り重ねる。この際、後格子状パネル２の本体部分は横倒姿勢となり、屈曲部４ａは起立姿勢となり、屈曲部４ａの長さＧ（図１１）に相当する部分のスペースが形成され、このスペース内に前格子状パネル３および側部格子状パネル５，６を収納することができる。この屈曲部４ａの高さＧは前格子状パネル３の厚さ及び側部格子状パネル５，６の各厚さを加えた寸法よりも長く形成されている。
【００４７】
物品収納具１をこのように折り重ねた状態で、上下に段積みすることができる。図１８の要部拡大断面図に示すように、段積用部材１０は折り重ね状態において前後格子状パネル３，４及び側部格子状パネル５，６と重ならない位置に底部格子状パネル２に配置されており、上方に突出して上端部１０ｃが折り重ねた後格子状パネル４のパネル最上面Ｐよりも高く位置している。より詳しくは、段積用部材１０の高さＨ２が、係合部９の高さＨ１（脚部８の下面から係合部９の上壁９ｃまでの高さ）と、後格子状パネル４の屈曲部４ａの高さＧ（底部格子状パネル２からパネル最上面Ｐまでの高さ）とを加えた寸法よりも長くされている。そのため、物品収納具１を上下に段積みすると、上段の物品収納具１の脚部８に設けた係合部９が下段の物品収納具１の段積用部材１０に係合し、かつ、上段の物品収納具１の脚部８の下面と、下段の物品収納具１のパネル最上面Ｐとの間に隙間ができるようになる。上記条件を満たさない場合は、下段の物品収納具１の後格子状パネル４上に上段の物品収納具１の脚部８が乗って重量が加わるために、後格子状パネル４が破壊されてしまうことがある。
【００４８】
また、物品収納具１を上下に段積みすると、脚部８の高さＨ３（図１８）に相当する空間ができるが、本発明ではこの空間に、直角方向に向きを変えた別の物品収納具１を収納することができる。すなわち、図１９に示すように、物品収納具Ａ１の上に、物品収納具Ｂ１を直角方向に向きを変えて段積みする。その後、物品収納具Ａ１と同一方向を向く別の物品収納具Ａ２を段積みし、さらに物品収納具Ｂ１と同一方向を向く別の物品収納具Ｂ２を段積みする。段積み状態の側面図を図２０に示す。このように、同一方向を向く上下の物品収納具Ａ１およびＡ２が、上側の脚部８の係合部９と下側の段積用部材１０とが係合した状態で段積みされ、物品収納具Ｂ１が物品収納具Ａ１およびＡ２の間にできた空間に納まり、かつ、上側の物品収納具Ｂ２の係合部９と下側の物品収納具Ｂ１の段積用部材１０が係合して段積みされる。この結果、余分な空間を形成することなく、高密度に段積みすることが可能となる。
【００４９】
より詳しくは、このように段積みするために下記の条件を満たすようにされている。
・底部格子状パネルは長方形状であり、脚部８は底部格子状パネル２の短辺を含む側部のパネル下面に、長辺方向に一対に設けられている（図６）。
・同一方向を向き、かつ段積用部材１０と脚部８の係合部９とが係合した上下の物品収納具Ａ１およびＡ２間における（図１８）、下段の物品収納具Ａ１の後格子状パネル４のパネル最上面Ｐから上段の物品収納具Ａ２の底部格子状パネル１の下面Ｑまでの高さＸが、それぞれの物品収納具における底部格子状パネル２の下面Ｑから後格子状パネル４のパネル最上面Ｐまでの高さＨ４より長い。
・底部格子状パネル２の長辺方向における脚部８間の間隔Ｄ（図６、図２０）が、底部格子状パネルの短辺方向の長さＬよりも長い。
【００５０】
以上説明したように本発明は、側部格子状パネル５，６の側面にパネル上端部に沿って、棒状部材１１，１２よりも高い撓み強度を有する上部補強部材７を設けたので、前後格子状パネル３，４および側部格子状パネル５，６を開いた状態で上下に段積みした際に、上段の物品収納具１の荷重を上部補強部材７が受け止めることができ、その結果、地震などで強い衝撃が加わったとしても壊れにくくなる。具体的には、上部補強部材７は上下曲部７ａ，７ｂと、中央曲部７ｃを有しており、高い撓み強度を発揮できる。また、側部格子状パネル５，６を構成する上下方向の第一棒状部材１１と、各曲部７ａ，７ｂ，７ｃとが直交する形になるので、この直交点を、比較的溶接量の少ないスポット溶接により溶接することができ、作業効率の向上およびコストダウンが図れる。また、上下曲部７ａ，７ｂは先端側ほど狭くなるように傾斜しているので、先端の切り口に作業者の手が触れる危険性が少なく、安全性が高い。さらに、段積用部材１０を設けており、各パネルを折り重ねた状態で段積みできる。この段積用部材１０は底部格子状パネル２の側部に設けられているので、各パネル２〜６を開いた状態で段積みした際に、上段の物品収納具１からの荷重の一部を受け止めることができる位置にあり、その結果、底部格子状パネル２の側部を補強することができる。また、段積み用部材１０は側部格子状パネル５，６の外側に位置しているので、側部格子状パネル５，６が外側に開くのを防止でき、また、各パネル２〜６を開いて物品収納空間Ｓに物品を収納した際に、物品による側圧を受け止めて側部格子状パネル５，６の外側への膨らみを防止できる。さらに、前後格子状パネル３，４は第一棒状部材１１が上下方向を向き、第二棒状部材１２が左右方向を向くとともに、第一棒状部材１１を基準にしてその外側および内側に第二棒状部材１２を互い違いに配置したので、収納した物品による側圧に対する強度を高くすることができる。
【図面の簡単な説明】
【００５１】
【図１】本発明に係る物品収納具１の概略斜視図である。
【図２】（Ａ）物品収納具１の左側面図（Ｂ）左側部格子状パネル５の縦面図（Ｃ）同じく側面図
【図３】（Ａ）物品収納具１の右側面図（Ｂ）右側部格子状パネル６の縦面図（Ｃ）同じく側面図
【図４】（Ａ）物品収納具１の正面図（Ｂ）前格子状パネル３の横断面図（Ｃ）同じく縦断面図
【図５】（Ａ）物品収納具１の背面図（Ｂ）後格子状パネル４の横断面図（Ｃ）同じく縦断面図
【図６】（Ａ）底部格子状パネル２の一部切り欠き正面図（Ｂ）同じく横断面図（Ｃ）同じく縦断面図
【図７】上部補強部材７および右側部格子状パネル６の要部拡大図。
【図８】段積用部材１０および底部格子状パネル２の要部拡大図。
【図９】前格子状パネル３の上位格子状パネル３ａと下位格子状パネル３ｂの接続部。
【図１０】仮に下位格子状パネル３ｂの上端に第二棒状部材が１本しか無かったとした場合に生じる不具合を説明する図。
【図１１】後格子状パネル４と底部格子状パネル２の接続部。
【図１２】物品収納具１を開いた状態で上下に段積みした状態における一部切り欠き正面図。
【図１３】物品収納具１を開いた状態で上下に段積みした状態における右側面図。
【図１４】上段の物品収納具１の脚部８の係合部９と、下段の物品収納具１の側部格子状パネル及び上部補強部材とが係合している状態の拡大断面図。
【図１５】本発明に係る別の実施形態。
【図１６】物品収納具１の前後格子状パネル３，４および側部格子状パネル５，６を底部格子状パネル２に対して折り重ねる動作を説明するための右側面図。
【図１７】同じく平面図。
【図１８】物品収納具１の各パネル２〜６を折り重ねた状態で上下に段積みした状態の拡大断面図。
【図１９】各パネル２〜６を折り重ねた状態で直角方向に向きを交互に変えて段積みする作業の説明図。
【図２０】各パネル２〜６を折り重ねた状態で直角方向に交互に向きを変えて段積みした物品収納具１の側面図。
【図２１】（Ａ）従来の物品収納具１０１（Ｂ）従来の物品収納具１の側パネル１０５。
【図２２】従来の物品収納具１０１を上下に段積みした状態における斜視図。
【符号の説明】
【００５２】
１  物品収納具
２  底部格子状パネル
３  前格子状パネル
４  後格子状パネル
５  左側部格子状パネル
６  右側部格子状パネル
７  上部補強部材
８  脚部
９  係合部
１０  段積用部材
１１  第一棒状部材
１２  第二棒状部材
【図１】
2006193200.tif 000003
【図２】
2006193200.tif 000004
【図３】
2006193200.tif 000005
【図４】
2006193200.tif 000006
【図５】
2006193200.tif 000007
【図６】
2006193200.tif 000008
【図７】
2006193200.tif 000009
【図８】
2006193200.tif 000010
【図９】
2006193200.tif 000011
【図１０】
2006193200.tif 000012
【図１１】
2006193200.tif 000013
【図１２】
2006193200.tif 000014
【図１３】
2006193200.tif 000015
【図１４】
2006193200.tif 000016
【図１５】
2006193200.tif 000017
【図１６】
2006193200.tif 000018
【図１７】
2006193200.tif 000019
【図１８】
2006193200.tif 000020
【図１９】
2006193200.tif 000021
【図２０】
2006193200.tif 000022
【図２１】
2006193200.tif 000023
【図２２】
2006193200.tif 000024